(57)【特許請求の範囲】
【請求項１】
もぎり部によりノズル部が密封されるキャップ本体と、キャップ本体を覆う上蓋とからなる、もぎり部付きキャップであって、
キャップ本体は、容器の口部に装着される装着部と、装着部内縁から内方に延設され口部の開口を封鎖する上壁と、上壁を貫通して形成されるノズル部と、ノズル部を密閉し、破断可能に立設されるもぎり部とを備え、
もぎり部は、回転止め突部を有する柱状突出部が形成されており、
もぎり部の回転止め突部の端面に突起部を設け、
上蓋は、頂部と頂部の周縁から垂下する側周部を備え、
上蓋は、頂部から下方に、もぎり部の形状に合わせた嵌合凹部が設けられ、
嵌合凹部は、底壁部と、柱状突出部を挟持する側壁部を有し、
嵌合凹部ともぎり部とが嵌合するに際し、嵌合凹部の側壁部の内面側に、突起部に対応する位置に凹所を設けることを特徴とするもぎり部付きキャップ。
【請求項２】
もぎり部は、４つの回転止め突部を有する十字状の柱状突出部が形成され、嵌合凹部は、もぎり部の形状にあわせた十字状であることを特徴とする請求項１に記載のもぎり部付きキャップ。
【請求項３】
キャップ本体のもぎり部と上蓋の嵌合凹部は、キャップの中心位置にあることを特徴とする請求項１または２に記載のもぎり部付きキャップ。
【請求項４】
キャップ本体のもぎり部と、上蓋の嵌合凹部のうち、いずれか一方が中心位置にあり、もう一方が偏心位置にあることを特徴とする請求項１または２に記載のもぎり部付きキャップ。
【請求項５】
キャップ本体と上蓋は、破断可能なヒンジを介して連設されていることを特徴とする請求項１〜４のいずれかに記載のもぎり部付きキャップ。
【発明の詳細な説明】
【技術分野】
【０００１】
本発明は、もぎり部付きキャップに関し、とくに、流動物を収納する容器に適する易開封のもぎり部付きキャップに関するものである。
【背景技術】
【０００２】
従来より、流動物を収納する容器用として、外気が容器体内へ入ることを防止し、消費者がその容器購入後は、密封保管し得るもぎり部付きキャップが知られており、使用時には、もぎり部を指で捻ることにより、もぎり部を破断して注出孔を開口するものである。
【０００３】
また、開栓時に内容液が飛散するリスク低減するためや、使用後、手に内容液が付着するリスクを低減するために、易開口キャップが知られている。（例えば、特許文献１参照）
【先行技術文献】
【特許文献】
【０００４】
【特許文献１】実公平３−１３８９号公報
【発明の概要】
【発明が解決しようとする課題】
【０００５】
上記特許文献１記載の易開口キャップは、キャップカバーの外側に設けられた係合部にもぎり部を横方向にスライドさせて合わせるもので、もぎり部も大きなものとなるため、合わせにくく、また、係合部がキャップカバーの外側に設けられているためぶつけたりするなどの問題があった。
【０００６】
本発明は、上記問題を解決することを課題とし、もぎり部をより小さくするとともに、キャップの内方に設けることができ、もぎり部と上蓋とを嵌合する際に合わせやすく、しかも安定したもぎりができる、易開封のもぎり部付きキャップを提供することを目的とする。
【課題を解決するための手段】
【０００７】
本発明は、上記の課題を解決するため、もぎり部付きキャップとして、もぎり部によりノズル部が密封されるキャップ本体と、キャップ本体を覆う上蓋とからなる、もぎり部付きキャップであって、キャップ本体は、容器の口部に装着される装着部と、装着部内縁から内方に延設され口部の開口を封鎖する上壁と、上壁を貫通して形成されるノズル部と、ノズル部を密閉し、破断可能に立設されるもぎり部とを備え、もぎり部は、回転止め突部を有する柱状突出部が形成されており、もぎり部の回転止め突部の端面に突起部を設け、上蓋は、頂部と頂部の周縁から垂下する側周部を備え、上蓋は、頂部から下方に、もぎり部の形状に合わせた嵌合凹部が設けられ、嵌合凹部は、底壁部と、柱状突出部を挟持する側壁部を有し、嵌合凹部ともぎり部とが嵌合するに際し、嵌合凹部の側壁部の内面側に、突起部に対応する位置に凹所を設けることを特徴とする構成を採用する。
【０００８】
もぎり部付きキャップの具体的実施形態として、もぎり部は、４つの回転止め突部を有する十字状の柱状突出部が形成され、嵌合凹部は、もぎり部の形状にあわせた十字状であることを特徴とする構成を採用し、キャップ本体のもぎり部と上蓋の嵌合凹部は、キャップの中心位置にあることを特徴とする構成を採用し、また、キャップ本体のもぎり部と、上蓋の嵌合凹部のうち、いずれか一方が中心位置にあり、もう一方が偏心位置にあることを特徴とする構成を採用する。
さらに、キャップ本体と上蓋は、破断可能なヒンジを介して連設されていることを特徴とする構成を採用する。
【発明の効果】
【０００９】
本発明のもぎり部付きキャップは、上記構成を採用することにより、保存に対しては上蓋で保護されるため、もぎり部が折れたりすることなく、もぎり部によって長時間容器内の内容液を密封することが可能となり、使用時には、上蓋を取り、嵌合凹部にもぎり部をあてて押し下げていくだけで嵌合することが可能となるため、合わせも容易であり、また、上蓋を回転させるだけで、容易にもぎり部をもぎ取ることができる。
また、もぎり部が小さいため、もぎり部と嵌合凹部のうちいずれかを偏心した位置にすることが可能となり、その場合、上蓋を小さくすることができる。
【図面の簡単な説明】
【００１０】
【図１】本発明の第１実施例であるもぎり部付きキャップの閉じた状態を示す図であり、（ａ）は上面図であり、（ｂ）は側面断面図である。
【図２】本発明の第１実施例であるもぎり部付きキャップを使用してもぎり部をもぎ取る方法を示すもので、上蓋を外し、嵌合凹部とキャップ本体のもぎり部とを嵌合させた図である。
【図３】本発明の第１実施例であるもぎり部付きキャップを使用してもぎり部をもぎ取る方法を示すもので、上蓋を回転してもぎり部をもぎ取り、もぎり部をキャップ本体から分離させた図であり、（ａ）は側面断面図であり、（ｂ）は（ａ）のもぎり部分の拡大図と、もぎり部の下面図である。
【図４】本発明の第２実施例であるもぎり部付きキャップの閉じた状態を示す図であり、（ａ）は上面図であり、（ｂ）は側面断面図である。
【図５】本発明の第２実施例であるもぎり部付きキャップの上蓋を外し、嵌合凹部ともぎり部とを嵌合させた状態を示す図である。
【図６】本発明の第３実施例であるもぎり部付きキャップの閉じた状態を示す図であり、（ａ）は上面図であり、（ｂ）は側面断面図である。
【図７】本発明の第３実施例であるもぎり部付きキャップの上蓋を外し、嵌合凹部ともぎり部とを嵌合させた状態を示す図である。
【図８】本発明の第４実施例である破断可能なヒンジを有するもぎり部付きキャップの閉じた状態を示す図であり、（ａ）は上面図であり、（ｂ）は側面断面図である。
【図９】本発明の第４実施例である破断可能なヒンジを有するもぎり部付きキャップの開いた状態を示す図であり、（ａ）は上面図であり、（ｂ）は側面断面図である。
【発明を実施するための形態】
【００１１】
次に、本発明のもぎり部付きキャップについて、実施例を示した図面を参照して説明する。
【実施例１】
【００１２】
図１において、Ａは容器Ｃに装着されるキャップ本体、Ｂはキャップ本体Ａを覆う上蓋である。
容器Ｃは、口部１を有する容器であり、口部１の外周面には、雄ねじ部２が設けられている。
【００１３】
キャップ本体Ａは、図１に示すように、容器Ｃの口部１に装着される装着部３と、装着部３から内方に延設され口部１の開口を封鎖する上壁４と、上壁４を貫通する注出口の周囲から立設されるノズル部５とを備えている。
【００１４】
装着部３は、上蓋Ｂと係合する係合部６と、基壁７の内周縁から下面に垂設される内筒８と、基壁７の外周縁から垂設される外筒９とから構成されている。
外筒９には、内周に容器Ｃの口部１の雄ねじ部２と螺合する雌ねじ部１０が設けられている。
【００１５】
ノズル部５の先端部５ａは、内方に縮径されるとともに、ノズル孔１３が形成され、ノズル部５の先端部５ａには、破断可能な薄肉部１１を介して、ノズル孔１３を密閉するもぎり部１２が立設されている。
もぎり部１２は、図３で示すように、ノズル部５の先端部５ａから薄肉部１１に連続する環状の足部１４を有し、４方向に張り出す回転止め突部１６を有する十字状の柱状突出部１７で構成されている。
４つの回転止め突部１６の端面の中央あたりに、後に説明する上蓋Ｂの嵌合凹部２２と嵌合するための半球状の突起部１８が形成されている。突起部１８は、４つの回転止め突部１６の端面に設けられることが望ましいが、相対する回転止め突部１６の端面の２つのみでも構わない。
【００１６】
上蓋Ｂは、頂部２０と頂部２０の周縁から垂下する側周部２１からなり、側周部２１の内周下端部は閉じた際に、キャップ本体Ａの係合部６と係合する。
上蓋Ｂの頂部２０の中央部には、図３で示すように、頂部２０から下方に、キャップ本体Ａのもぎり部１２の形状に合わせた、十字状の嵌合凹部２２が設けられている。
【００１７】
嵌合凹部２２は、図１および２に示すように、底壁部２３と、柱状突出部１７を挟持する側壁部２４を有しており、側壁部２４の内面側は、もぎり部１２の形状にあわせた凹凸を有し、嵌合に際し、もぎり部１２の回転止め突部１６の端面に設けられる突起部１８に対応する位置に、凹所２５が設けられている。
【００１８】
次に、本実施形態の使用態様と作用効果について図面を参照しながら説明する。
本実施例のもぎり部付きキャップは、上蓋Ｂとキャップ本体Ａは別体として製造され、上蓋Ｂをキャップ本体Ａに係合させ、上蓋Ｂを閉じた状態で、内容液が充填された容器Ｃの口部１の雄ねじ部２とキャップ本体Ａの雌ねじ部１０とで螺合して装着する。
本実施例では、容器Ｃの口部１の雄ねじ部２とキャップ本体Ａの雌ねじ部１０とで螺合して装着しているが、キャップ本体Ａの容器Ｃへの装着は、打栓による嵌合など、どのような手段でも構わない。
【００１９】
次に、図１〜３にしたがって、もぎり部１２をもぎ取る方法を説明する。
まず、図１の状態の上蓋Ｂをキャップ本体Ａから外し、上蓋Ｂを裏返した後、嵌合凹部２２をキャップ本体Ａのもぎり部１２の上面にあて、上蓋Ｂを押し下げていくことにより、もぎり部１２と嵌合凹部２２とが嵌合し、図２の状態になる。
この状態で、上蓋Ｂを右回りあるいは左回りに回転させれば容易に、もぎり部１２の下端にある薄肉部１１が破断され、ノズル部５のノズル孔１３が開口され、キャップ本体Ａのノズル部５が開封されて、図３の状態になる。もぎり部１２は突起部１８が嵌合凹部２２の凹所２５に嵌合されているので、上蓋Ｂから抜け落ちることがない。
【００２０】
キャップ本体Ａのノズル部５が開封されることにより、容器Ｃを傾けただけで、容易にノズル部５から容器Ｃ内の内容液を注出することができる。
また、容器Ｃは、傾けて内容液をノズル部５から注出するものに限らず、容器Ｃをスクイズしてノズル部５から内容液を注出するものであっても構わない。
注出後、嵌合凹部２２ともぎり部１２とが嵌合したままで、上蓋Ｂをキャップ本体Ａに係合して閉じることができる。
なお、本実施例では、柱状突出部１７の回転止め突部１６の張り出しの数を４つとしているが、上蓋Ｂを回転させてもぎり部１２をもぎ取る際に、スムーズに回転するものであればよく、回転止め突部１６の張り出しの数は４つに限定されず、いくつであっても構わない。
さらには、もぎり部は、回転止め突部を有する柱状突出部であれば、どのような形状でも構わない。張り出しのない角形状（例えば四角等）ものでもよく、同形状を有する嵌合凹部に嵌合し、回転時に噛み合うものであればよく、ローレット状にしてもよい。
【実施例２】
【００２１】
次に、上蓋Ｂの嵌合凹部の位置を変更した第２実施例について、図４および５を参照して説明する。
以下、第１実施例と同一の構成部分には同一の符号を付し、変更部分に新たな符号を付し、相違点を中心に説明する。
【００２２】
図４に示すように、もぎり部１２はキャップ本体Ａの中心位置にあり、上蓋Ｂの中心から偏心した位置の頂部２０から下方に、もぎり部１２の形状にあわせた十字状の嵌合凹部３０が設けられている。
上蓋Ｂを閉じた状態で、もぎり部１２の位置と重ならない位置に嵌合凹部３０が設けられることによって、上蓋Ｂの頂部２０を低くすることが可能となり、高さの低い上蓋Ｂとすることができる。
また、図５は、上蓋Ｂをキャップ本体Ａから外し、キャップ本体Ａのもぎり部１２と上蓋Ｂの嵌合凹部３０とを嵌合させた状態を示す。
その他の構成については、第１実施例と同様であり、作用効果も同様である。
【実施例３】
【００２３】
キャップ本体Ａのもぎり部の位置を変更した第３実施例について、図６および７を参照して説明する。
以下、第１実施例と同一の構成部分には同一の符号を付し、変更部分に新たな符号を付し、相違点を中心に説明する。
【００２４】
図６に示すように、上蓋Ｂの嵌合凹部３１は、上蓋Ｂの中心位置にあり、もぎり部３２はキャップ本体Ａの中心から偏心した位置に設けられている。
本実施例のもぎり部３２の十字状の柱状突出部３５は、第１および第２実施例とは異なり、細い形状のものとなっている。
嵌合凹部３１の形状も、もぎり部３２の十字状の柱状突出部３５の形状にあわせた十字状である。
本実施例においても、閉じた状態で、もぎり部３２の位置が嵌合凹部３１の位置に重ならないため、上蓋Ｂの頂部２０を低くすることが可能となり、上蓋Ｂの高さを低くすることができる。
また、図７は、上蓋Ｂをキャップ本体Ａから外し、キャップ本体Ａのもぎり部３２と嵌合凹部３１とを嵌合させた状態を示す。
その他の構成については、第１実施例と同様であり、作用効果も同様である。
なお、第２実施例は嵌合凹部３０のみを偏心させた実施例であり、また、第３実施例はもぎり部３２のみを偏心させた実施例であるが、もぎり部と嵌合凹部の両方とも中心から偏心したものとすることも可能である。ただし、その場合には、上蓋Ｂでキャップ本体Ａを覆う際に、もぎり部と嵌合凹部の偏心方向が重ならないように閉じなければならない。
【実施例４】
【００２５】
キャップ本体Ａと上蓋Ｂを変更した第４実施例について、図８および９を用いて説明する。
以下、第１実施例と同一の構成部分には同一の符号を付し、変更部分に新たな符号を付し、相違点を中心に説明する。
【００２６】
図８および９に示すように、キャップ本体Ａと上蓋Ｂは破断可能なヒンジＤで連設されている。
上蓋Ｂには、ヒンジＤと反対側には、側周部２１の下端に把手部３６が設けられ、また、キャップ本体Ａの外筒９には、ヒンジＤと反対側の外周上端部に、上蓋Ｂの把手部３６と対向する位置に切欠凹部３７が形成されている。
また、ヒンジＤは、薄肉の弱化部３８で形成されている。
その他の構成は、第１実施例と同様である。
【００２７】
次に、本実施形態の使用態様と作用効果について図面を参照しながら説明する。
本実施例のもぎり部付きキャップは、図９に示すように、上蓋Ｂが完全に開いた状態で一体成形により製造される。
容器Ｃへの装着については、ヒンジＤを介して上蓋Ｂを回動して、上蓋Ｂをキャップ本体Ａに係合させ、上蓋Ｂを閉じた状態で、内容液が充填された容器Ｃの口部１の雄ねじ部２とキャップ本体Ａの雌ねじ部１０とで螺合して装着される。
もぎり部１２をもぎ取るには、上蓋Ｂの把手部３６を持ち上げるか指で下から押し上げて係合を外し、ヒンジＤを介して上蓋Ｂを回動させ、さらに上蓋Ｂを上または横方向に引っ張り、ヒンジＤの弱化部３８を破断して、上蓋Ｂをキャップ本体Ａから分離する。
分離した上蓋Ｂの嵌合凹部２２とキャップ本体Ａのもぎり部１２とを嵌合し、上蓋Ｂを回転して、容易にもぎり部１２をもぎ取ることができる。
その後の実施形態および作用効果は、第１実施例と同様である。
なお、本実施例では、第１実施例と同様の嵌合凹部２２ともぎり部１２を有するものであるが、第２実施例および第３実施例のように、偏心した嵌合凹部あるいはもぎり部をもつもぎり部付きキャップであっても、破断可能なヒンジＤでキャップ本体Ａと上蓋Ｂを連設し得ることはいうまでもない。
また、もぎり部１２と嵌合凹部２２の形状についても、本実施例では、第１実施例と同形状であるが、第３実施例と同形状のものでも構わない。
【産業上の利用可能性】
【００２８】
本発明のもぎり部付きキャップは、上蓋があることによってキャップ本体のもぎり部を保護することができ、もぎり部が折れたりすることなく、長時間容器内の内容液を密封することが可能となる。
本発明のもぎり部は小さなものとすることが可能であり、また、もぎり部をもぎ取るに際し、上蓋の嵌合凹部とキャップ本体のもぎり部とを、上下方向にあわせるだけで容易に嵌合させることができ、上蓋を回転させるだけで、強い力を必要とせずに、きれいな断面でもぎり部をもぎ取ることができる。
とくに使い切りで使用する内容液が充填された容器のもぎり部付きキャップとして好適である。
【符号の説明】
【００２９】
Ａ            キャップ本体
Ｂ            上蓋
Ｃ            容器
Ｄ            ヒンジ
１            口部
２            雄ねじ部
３            装着部
４            上壁
５            ノズル部
５ａ          先端部
６            係合部
７            基壁
８            内筒
９            外筒
１０            雌ねじ部
１１            薄肉部
１２、３２      もぎり部
１３            ノズル孔
１４、３３      足部
１６            回転止め突部
１７、３５      柱状突出部
１８            突起部
２０            頂部
２１            側周部
２２、３０、３１  嵌合凹部
２３            底壁部
２４            側壁部
２５            凹所
３６            把手部
３７            切欠凹部
３８            弱化部
【図１】
0006628665.tif 000002
【図２】
0006628665.tif 000003
【図３】
0006628665.tif 000004
【図４】
0006628665.tif 000005
【図５】
0006628665.tif 000006
【図６】
0006628665.tif 000007
【図７】
0006628665.tif 000008
【図８】
0006628665.tif 000009
【図９】
0006628665.tif 000010